(57)【特許請求の範囲】
【請求項１】
スリーブ下面を中心に、折れ線を介して一側辺にスリーブ上面を、他の側辺に糊代片を、上辺にスリーブ上折り返し片を、下辺にスリーブ下折り返し片を連設したブランクを組み立ててなる外側のスリーブと、中舟底面に折れ線を介して上辺に中舟上折り返し片を、下辺に中舟下折り返し片を連設したブランクを組み立ててなる前記スリーブ内で上下に可動する中舟とからなり、板状の物品を保持した前記中舟を前記スリーブ内でスライドさせて前記物品を取り出すスライド式取り出しケースであって、
前記中舟底面の下辺において、前記物品を保持するために、前記中舟折り返し片をそれぞれ内側に折り返して中舟保持部とし、前記中舟を係止するために、前記スリーブ下面の下辺において、前記スリーブ下折り返し片を内側に折り返してスリーブ下係止部とし、前記スリーブ下面の上辺において、前記スリーブ上折り返し片を内側に折り返してスリーブ上係止部とし、前記スリーブ下面と前記スリーブ下折り返し片と前記スリーブ上折り返し片の内側に所定距離を移動可能に前記中舟を収納し、前記スリーブ下面に指で前記中舟をスライドさせるための窓部を設けていることを特徴とするスライド式取り出しケース。
【請求項２】
前記中舟底面の外面において、前記スリーブ下面に設けた前記窓部から露出した部分に滑り止め処理を施していることを特徴とする請求項１に記載のスライド式取り出しケース。
【発明の詳細な説明】
【０００１】
【発明の属する技術分野】
本発明は櫛、スケール、カードなどの板状、特に長尺状の物品を収納するケースであって、取り出すことが容易なスライド式取り出しケースに関するものである。
【０００２】
【従来の技術】
従来より、櫛、スケール、カードなどの板状、特に長尺状の物品を収納するケースとして、一般的に偏平な袋状のケースが使用されており、取り出し安くするために、収納した物品の頭部を突出した状態（図７−ａに示す）、あるいは頭部の片面を表出した状態（図７−ｂに示す）としている形態のものがある。
【０００３】
【発明が解決しようとする課題】
しかしながら、上記のような、収納した物品の頭部を突出した状態、あるいは頭部の片面を表出した状態とした場合、突出あるいは表出した部分が汚染するなどして好ましくないという問題がある。また、櫛、スケール、カードなどの板状、特に長尺状の物品を収納するケースとして、出し入れが簡便で、板紙などの材料から簡単に作製できる安価なケースが求められていた。
【０００４】
本発明はこのような問題点を解消し、櫛、スケール、カードなどの板状、特に長尺の物品を収納し、収納した物品の出し入れが簡便で、特に中から物品を簡単に取り出すことができる安価なスライド式取り出しケースを提供することを課題目的にする。
【０００５】
【課題を解決するための手段】
上記の課題を解決するための本発明は、スリーブ下面を中心に、折れ線を介して一側辺にスリーブ上面を、他の側辺に糊代片を、上辺にスリーブ上折り返し片を、下辺にスリーブ下折り返し片を連設したブランクを組み立ててなる外側のスリーブと、中舟底面に折れ線を介して上辺に中舟上折り返し片を、下辺に中舟下折り返し片を連設したブランクを組み立ててなる前記スリーブ内で上下に動く中舟とからなり、板状の物品を保持した前記中舟を前記スリーブ内でスライドさせて前記物品を取り出すスライド式取り出しケースであって、前記中舟底面の下辺において、前記物品を保持するために、前記中舟折り返し片をそれぞれ内側に折り返して中舟保持部とし、前記中舟を係止するために、前記スリーブ下面の下辺において、前記スリーブ下折り返し片を内側に折り返してスリーブ下係止部とし、前記スリーブ下面の上辺において、前記スリーブ上折り返し片を内側に折り返してスリーブ上係止部とし、前記スリーブ下面と前記スリーブ下折り返し片と前記スリーブ上折り返し片の内側に所定距離を移動可能に前記中舟を収納し、前記スリーブ下面に指で前記中舟をスライドさせるための窓部を設けていることを特徴とするスライド式取り出しケースである。また、前記中舟底面の外面において、前記スリーブ下面に設けた前記窓部から露出した部分に滑り止め処理を施していることを特徴としている。
【０００６】
本発明によれば、櫛、スケール、カードなどの板状、特に長尺状の物品を収納し、出し入れが簡便で、収納した物品を中から簡単に取り出すことができる安価なスライド式取り出しケースである。
【０００７】
【発明の実施の形態】
以下、本発明の実施の形態を詳細に説明するが、本発明はこれに限定されるものではない。
【０００８】
図１は、本発明のスライド式取り出しケースの実施の形態の一実施例を示す斜視図である。スライド式取り出しケース１は、外側のスリーブ１０と内側の中舟２０とからなり、スリーブ１０の中に中舟２０が差し込まれた形状となっている。スリーブ１０のスリーブ下面１１には窓部１１ａが設けられており、この窓部１１ａから中舟２０の一部を露出させることにより、この露出した中舟２０の一部を指で上下方向にスライドすることができ、収納された物品３０を簡単に取り出すことができる。
【０００９】
図２は、図１の本発明のスライド式取り出しケースに実際の物品３０を収納して出し入れする状態の縦断面を示す概略断面図であり、図２−ａは、物品３０が収納された状態を示す概略断面図であり、図２−ｂは、物品３０が取り出される状態を示す概略断面図である。
【００１０】
図２−ａの物品３０が収納された状態では、物品３０の先端が中舟２０の中舟底面２１と折り返された中舟下折り返し片２３との間（中舟保持部）で保持され、さらに、中舟２０の物品３０を保持した下部が物品３０を保持した状態でスリーブ１０のスリーブ下面１１と折り返されたスリーブ下折り返し片１５との間で係止されている。
【００１１】
つぎに、収納された物品３０を取り出すためには、スリーブ１０のスリーブ下面１１に設けられた窓部１１ａから露出した中舟１０の中舟底面２１の部分を指でスライドする。スリーブ下面１１の窓部１１ａを通して中舟２０をスライドすることによって、図２−ｂに示すように、物品３０の頭部が突出した状態となり、物品３０が取り出しやすい状態となる。この状態では、中舟２０の中舟底面２１と折り返された中舟上折り返し片２２とが、スリーブ１０のスリーブ下面１１と折り返されたスリーブ上折り返し片１４との間で係止され、中舟２０がスリーブ１０から抜け出すことはない。
【００１２】
再度、物品３０を収納する場合には、物品３０の先端が中舟２０の中舟底面２１と折り返された中舟下折り返し片２３との間に届くところまで挿入し、さらに、中舟２０がスリーブ１０のスリーブ下面１１と折り返されたスリーブ下折り返し片１５との間で係止されるまで中舟２０をスライドさせて図２−ｂの状態から図２−ａの状態にすることにより、収納することができる。
【００１３】
図３は、外側のスリーブ１０のブランクを示す展開図であり、ブランク１０Ａは、スリーブ下面１１を中心にスリーブ下面１１の一方の側辺に折れ線ａを介してスリーブ上面１２を連設し、他方の辺に折れ線ｂを介してスリーブ糊代片１３を連設し、上辺に折れ線ｃを介してスリーブ上折り返し片１４を連設し、下辺に折れ線ｄを介してスリーブ下折り返し片１５を連設している。
【００１４】
スリーブ下面１１の形状は、長さ、幅共に、収納する物品３０の大きさより少し大きく設定する。そして、略中央部に窓部１１ａを設けている。この窓部１１ａの形状は、円形、楕円形、四辺形など特に限定されるもではない。この窓部１１ａは、露出した中舟２０の部分を指で上下方向にスライドするために設けられたものであり、指が触れて、かつ、上下方向（長さ方向）にスライドできる形状であればよく、長さは、中舟２０をスライドさせる長さとし、収納された物品３０の頭部を表出させるために、３０〜５０ｍｍ程度が好ましい。
【００１５】
スリーブ上折り返し片１４およびスリーブ下折り返し片１５の形状は、台形、四辺形、半円形など特に限定されるものではなく、中舟２０の折り返し片を係止できる形状であればよい。
【００１６】
スリーブ１０には外面に色彩や文字を直接印刷したり、印刷したラベルを貼ることもできる。
【００１７】
図４は、内側の中舟２０のブランクを示す展開図であり、ブランク２０Ａは、中舟底面２１を中心にして、中舟底面２１の上辺に折れ線ｅを介して中舟上折り返し片２２を連設し、下辺に折れ線ｆを介して中舟下折り返し片２３を連設している。
【００１８】
中舟底面２１の形状は、幅がスリーブ下面１１とほぼ同じで、長さがスリーブした面１１より短くし、その差が収納された物品３０を取り出すために中舟２０をスライドさせる長さとなる。
【００１９】
そして、中舟下面２１の外面の部分で、中舟２０をスリーブ１０に差し込んだ時にスリーブ１０のスリーブ下面１１の窓部１１ａから露出する部分には、指で触れて中舟２０をスライドさせるため、指が滑りにくいような滑り止め処理２１ａを施すことが好ましい。例えば、凸状部あるいは凹状部をエンボス加工などで設ける方法などがある。この場合、形状は、点状、線状、格子状などとすることができる。
【００２０】
また、中舟上折り返し片２２および中舟下折り返し片２３の形状は、スリーブ上折り返し片１４およびスリーブ下折り返し片１５の形状と同様に、台形、四辺形、半円形など特に限定されるものではなく、収納する物品３０を保持できる形状であればよい。
【００２１】
つぎに、本発明のスライド式取り出しケースを作製する方法について説明する。
【００２２】
まず、スリーブ１０をブランク１０Ａから組み立てるが、図５−ａに示すように、スリーブ下面１１を中心にして、スリーブ上折り返し片１４とスリーブ下折り返し片１５を折れ線ｃ、ｄでそれぞれ内側に折り返す。そして、糊代片１３とスリーブ上面１２を折れ線ｂ、ａで内側に折り返して、糊代片１３とスリーブ上面１２とを貼り合せてスリーブ状とする。この組み立て加工は、公知の自動製函機で行うことができる。
【００２３】
つぎに、中舟２０をブランク２０Ａから組み立てるが、図５−ｂに示すように、中舟底面２１を中心にして、中舟上折り返し片２２と中舟下折り返し片２３を折れ線ｅ、ｆで内側に折り返す。
【００２４】
最後に、組み立てた中舟２０をスリーブ１０の上側から差し込む。この時に、図５−ｃに示すように、収納する物品３０を中舟２０に収納した状態でスリーブ１０に差し込んでもよく、このようにすることによって、長尺状の物品３０が収納されたスライド式取り出しケースとすることができる。
【００２５】
実際に、本発明のスライド式取り出しケースにおいて、収納された物品３０を取り出すには、図６に示すように、スリーブ１０の窓部１１ａから露出した中舟２０の部分を指で上方向にスライドさせて、収納された物品３０の頭部を表出させる。この動作は、片手で簡単に行うことができる。そして、表出した物品３０の頭部を摘んで簡単に物品３０を取り出すことができる。
【００２６】
取り出した物品３０を再収納するには、物品３０をスリーブ１０に差し込むことによって、物品３０は、中舟２０の中舟下折り返し片２３を折り返した保持部で保持されて、スリーブ１０内に収納することができる。
【００２７】
【発明の効果】
以上説明したように、本発明のスライド式取り出しケースは、櫛、スケール、カードなどの板状、特に長尺の物品を収納し、出し入れが簡便で、収納した物品を中から簡単に取り出すことができる安価なスライド式取り出しケースであり、板紙などからなる外側のスリーブと内側の中舟とから構成され、スリーブに設けた窓部から露出している中舟を指でスライドさせることにより、収納した物品の頭部を表出させることができ、簡単に物品を取り出すことができるという効果を有している。
【図面の簡単な説明】
【図１】本発明のスライド式取り出しケースの実施の形態の一実施例を示す斜視図である。
【図２】図１の本発明のスライド式取り出しケースの実施の形態の一実施例に物品を収納した状態を示す縦断面図である。
【図３】本発明のスライド式取り出しケースの実施の形態の一実施例を構成するスリーブのブランクを示す展開図である。
【図４】本発明のスライド式取り出しケースの実施の形態の一実施例を構成する中舟のブランクを示す展開図である。
【図５】本発明のスライド式取り出しケースの実施の形態の一実施例を作製する方を示す斜視図である。
【図６】本発明のスライド式取り出しケースの実施の形態の一実施例を実際に使用する状態を示す斜視図である。
【図７】従来の取り出しケースの例を示す斜視図である。
【符号の説明】
１      本発明のスライド式取り出しケース
１０      スリーブ
１１Ａ    ブランク（スリーブ）
１１      スリーブ下面
１１ａ    窓部
１２      スリーブ上面
１３      スリーブ糊代片
１４      スリーブ上折り返し片
１５      スリーブ下折り返し片
２０      中舟
２０Ａ    ブランク（中舟）
２１      中舟底面
２１ａ    滑り止め処理
２２      中舟上折り返し片
２３      中舟下折り返し片
３０      物品
ａ〜ｆ    折れ線
【図１】
0004090760.tif 000002
【図２】
0004090760.tif 000003
【図３】
0004090760.tif 000004
【図４】
0004090760.tif 000005
【図５】
0004090760.tif 000006
【図６】
0004090760.tif 000007
【図７】
0004090760.tif 000008